(57)【要約】【課題】  空気圧を利用してシャンプーなどの液体を容器の中から外へ出す空気圧押し出し式液体容器を提供する。【解決手段】  容器（１）の外側面に排出孔（１１）を設け、容器（１）内にパイプ（９）を設ける。パイプは下方側先端に吸入孔（１０）を設け、上部側先端は排出孔（１１）と繋げる。排出孔（１１）には流出防止弁（１２）を設け、丸型ノズル（２）を装着する。容器（１）の上部に弾力性フレキ（４）を設ける。弾力性フレキ（４）の上部に手押し板（５）を設ける。手押し板（５）の上部に注入口（８）を設け、弁機構付きキャップ（７）とキャップ（６）で蓋をする。弁機構付きキャップ（７）には、支軸（１５）、逆止弁（１６）、内側空気孔（１７）、を設ける。弁機構付きキャップ（７）とキャップ（６）の間で形成される空間、外側空気孔（１８）を設けたことを特徴とする。【選択図】  図１
2004161381.tif 000002
【特許請求の範囲】
【請求項１】
上部に弾力性フレキを有する容器と、この容器の上部に設けられた防水機構を有する逆止弁を利用した吸気部材と、容器に設けられた任意の液状内容物を注入する注入口と、容器内から容器外へ内容物を吸い上げ排出するためのパイプ部材よりなる空気圧式押し出し液体容器。
【請求項２】
上部に弾力性フレキと手押し板を有する容器と、容器に設けられた任意の液状内容物を注入する注入口と、注入口に取り付けるキャップと、容器内から容器外へ内容物を吸い上げ排出するためのパイプ部材より構成され、前記キャップは防水機構を有する逆止弁を利用した吸気機構を兼ねたものであることを特徴とする空気圧押し出し液体容器。
【請求項３】
前記パイプに液状内容物の流出を防ぐための、流出防止弁を設け、排出孔は容器外側に設け、この排出孔に着脱可能に固定することができるノズルを具備することを特徴とする請求項１または２記載の空気圧押し出し式液体容器。
【請求項４】
逆止弁を設けたキャップ。
【発明の詳細な説明】
【技術分野】
【０００１】  この発明は、空気圧を利用してシャンプーなどの液体を容器の中から外へ出す空気圧押し出し式液体容器の発明に関するものである。
【背景技術】
【０００２】  従来、シャンプーなどの容器には金属製のバネを利用し、液体の出口が上下する構造のポンプが利用され、このポンプ上部に設けた、直径２〜３ｃｍほどの円形の手押し部を手の平などで押してシャンプーなどの液体を容器の中から外へ出す容器があった。
【発明の開示】
【発明が解決しようとする課題】
【０００３】  そのために、次のような問題点があった。
イ  可動ノズルとキャップの間に隙間が生じ、その隙間から汚水などが容器内に浸入して不衛生であった。
ロ  ポンプ上部の手押し部の面積が狭く不便であった。
ハ  ポンプ内部には、金属製のバネが使用されておりポンプを押し下げる為には手の平を利用し、ある程度の強い力が必要であり、指先だけの軽い力で押す事がたやすくなかった。
ニ  液体の出るノズル部分が上下に動く為、液を受け止めづらかった。
ホ  液体の出るノズル部分の形状が細長くとがっており又、非常に硬く作られているため誤って体の上に落とした場合やノズルの上に転倒した場合に体を傷つける可能性が高く危険であった。
ヘ  ポンプ内部に、本体容器の材質と異なる、金属製のバネが使用されており、リサイクル時に仕分けの必要があった。
本発明は、以上の問題点を解決するためになされたものである。
【課題を解決するための手段】
【０００４】  図２に示すように、容器（１）の外側面に排出孔（１１）を設け、容器（１）内にパイプ（９）を設ける。パイプは下方側先端に吸入孔（１０）を設け、上部側先端は排出孔（１１）と繋げる。図５の示すように、排出孔（１１）には流出防止弁（１２）を設け、丸型ノズル（２）を装着する。容器（１）の上部に弾力性フレキ（４）を設ける。弾力性フレキ（４）の上部に手押し板（５）を設ける。手押し板（５）の上部に注入口（８）を設け、弁機構付きキャップ（７）とキャップ（６）で蓋をする。
図３が示すように、弁機構付きキャップ（７）には、支軸（１５）、逆止弁（１６）、内側空気孔（１７）、を設ける。弁機構付きキャップ（７）とキャップ（６）の間で形成される空間、外側空気孔（１８）を設ける。
本発明は、以上のような構成よりなる空気圧押し出し式容器である。
【発明の効果】
【０００５】  本発明を使用することによって、キャップ上部から汚水などが容器の内部に浸入する事がなく衛生的である。小さい子供、高年齢者、障害者にも、押し下げやすい広い面積の手押し板を、軽く指先を下に押し下げる動作だけで、楽に押し下げて、容器の中の液体を効率よく外に出す事ができる。特に、上面全面が広い面積の押し下げ板のため、目の不自由な方にとって非常に便利である。また少しの量を出す時の力の加減がしやすく、液の出るノズルが上下動しないため、液を受け止めやすい。角をとった丸形ノズルのため、安全性が高い。金属製のバネを使用していないため、ごみ処理がしやすい。
【発明を実施するための最良の形態】
【０００６】  以下、本発明の実施の形態について説明する。
（イ）容器（１）内から容器外へ液状内容物を吸い上げ排出するためのパイプ（９）を設ける。
（ロ）パイプ（９）の吸入孔（１０）は容器内側下部に設け、パイプ（９）上部の吐出側先端は容器外側に設けた排出孔（１１）と繋げる。図５の示すように、この排出孔（１１）に、容器が転倒した際に液状内容物の流出を防ぐための流出防止弁（１２）を設け、着脱可能に固定することができる丸型ノズル（２）を装着する。流出防止弁（１２）は弾力性フレキ（４）を押し下げて容器内の気圧を上げたときに、容器内から容器外に内容物を排出する方向へ開き、容器内の気圧が変化しない普段は排出孔（１１）をふさいでいる。
（ハ）容器（１）の上部に弾力性フレキ（４）を設け、弾力性フレキ（４）の上に手押し板（５）を設ける。弾力性フレキ（４）には伸縮性があり、手押し板（５）を介して弾力性フレキ（４）を下方へ押し下げると下方へ縮み、手押し板（５）から手を離すと上方へ伸び、元の位置に戻る。
（ニ）手押し板（５）の上部に注入口（８）を設ける。
（ホ）注入口（８）は弁機構を備えた弁機構付きキャップ（７）で蓋をする。
（ヘ）図３の示すように、弁機構付きキャップ（７）の天板（１４）には支軸（１５）を中心に左右２つの内側空気孔（１７）を設け、支軸（１５）には左右２つの内側空気孔（１７）を開閉する２つの逆止弁（１６）を設ける。
（ト）弁機構付きキャップ（７）をキャップ（６）で蓋をする。このとき、キャップ（６）と弁機構付きキャップ（７）との間で空気の通り道、外側空気孔（１８）と内側空気孔（１７）が形成される。弁機構付きキャップ（７）をキャップ（６）で蓋をするため、上方から降りかかる水分に対し防水効果がある。キャップ（６）を最下方まで下げて弁機構付きキャップ（７）と密着させると外側空気孔（１８）と内側空気孔（１７）をふさいで容器を密閉状態にできる。
手押し板（５）を下方へ押し下げると弾力性フレキ（４）が下方へ縮み、容器内の気圧が上がる。このとき内側空気孔（１７）より一回り大きい逆止弁（１６）は、天板（１４）に密着し内側空気孔（１７）をふさぐ。そのため空気圧によって液状内容物は容器（１）内の吸入孔（１０）を介し、液出口（３）へ押し出される。逆に手押し板（５）から手をはなすと弾力性フレキ（４）が上方へ伸びて元の位置に戻る。このとき容器（１）内の気圧が下がり逆止弁（１６）は、内側空気孔（１７）を開く方向へ折れ曲がり、外側空気孔（１８）を介して内側空気孔（１７）から容器（１）内へ空気を送る。逆止弁（１６）は気圧の変化のない普段は内側空気孔（１７）をふさいでいる。
本発明は以上のような構成で、これを使用するときは、手押し板（５）を指先で軽く押し下げ、液出口（３）から出る液を受け止める。手押し板（５）から指を離すと手押し板（５）は元の位置まで戻る。必要な量を得るまでこれを繰り返す。
【実施例１】
【０００７】    図７が示すように、容器の形状、弾力性フレキの形状、手押し板の形状は様々でよい。
【実施例２】
【０００８】    図８が示すように、容器（１）本体の内側面が、パイプの内側面の構造の一部となるような一体構造式パイプ（２２）のような構造にしてよい。
【実施例３】
【０００３】    流出防止弁（１２）と逆止弁（１６）の形状は様々でよい。
【図面の簡単な説明】
【０００９】
【図１】本発明の斜視図
【図２】本発明の一部を切り欠いた分解側面図
【図３】本発明のキャップの断面図
【図４】本発明のキャップの斜視図
【図５】本発明の排出孔の斜視図
【図６】本発明のノズルの斜視図
【図７】本発明の他の実施例を示す斜視図
【図８】本発明の他の実施例を示す一部を切り欠いた側面図
【符号の説明】
【００１０】  １  容器
２  丸型ノズル
３  液出口
４  弾力性フレキ
５  手押し板
６  キャップ
７  弁機構付きキャップ
８  注入口
９  パイプ
１０  吸入孔
１１  排出孔
１２  流出防止弁
１３  傾斜式底部
１４  天板
１５  支軸
１６  逆止弁
１７  内側空気孔
１８  外側空気孔
１９  丸型容器
２０  半円形弾力性フレキ
２１  半円形手押し板
２２  一体構造式パイプ
２３  一方傾斜式底部
【図１】
2004161381.tif 000003
【図２】
2004161381.tif 000004
【図３】
2004161381.tif 000005
【図４】
2004161381.tif 000006
【図５】
2004161381.tif 000007
【図６】
2004161381.tif 000008
【図７】
2004161381.tif 000009
【図８】
2004161381.tif 000010